(57)【要約】      （修正有）【課題】水槽の所有者にとって使い勝手が良さ、及び簡便さが備わる濾過材の点検が必要な時の合図を与える及び／又は決定するための方法及びデバイスの提供。【解決手段】計時板アクチュエータ１０は、全般的に、メインボディ部又はホルダ１２及びカバー１４を含んでいる。計時板（タイムストリップ）１６は、ホルダ１２の内部に配置可能である。計時板アクチュエータ１０のホルダ１２は第一の端壁２０、第二の端壁、側面壁、及び底面壁２８を含んでいる。端壁、側面壁、及び底面壁は、計時板を受け止める大きさである内部又はコンパートメントを画定する。カバー１４は、蝶番接続３０でホルダ１２に取り付けられている。蝶番接続３０によって、ユーザはカバー１４を選択的に、ホルダ１２のコンパートメント１８にアクセスできる開位置、及び計時板１６をコンパートメント１８の内部に固定及び封入する閉位置に配置する構成。【選択図】図２
2009109480.tif 000002
【特許請求の範囲】
【請求項１】
ａ）計時板を受け止める大きさのコンパートメントを画定するメインボディと、
ｂ）蝶番接続でメインボディに取り付けられており、閉位置及び開位置に配置可能なカバーと、
ｃ）コンパートメント内部に位置する第一の突起及びカバーに保持される第二の突起であって、カバーが閉位置にあるとき、並んで互いの方向に突出している第一及ぶ第二の突起と、を含む計時板アクチュエータ。
【請求項２】
カバーは観察窓を画定する、請求項１に記載の計時板アクチュエータ。
【請求項３】
カバーは第一の蝶番端及び第二の自由端を含み、カバーに保持されている第二の突起はカバーの第二の自由端に隣接して位置している、請求項１に記載の計時板アクチュエータ。
【請求項４】
カバーは第一の蝶番端及び第二の自由端を含み、カバーに保持されている第二の突起はカバーの第一の蝶番端に隣接して位置している、請求項１に記載の計時板アクチュエータ。
【請求項５】
メインボディはフィルタアセンブリ構成要素に一体の凹部として形成されている、請求項１に記載の計時板アクチュエータ。
【請求項６】
メインボディは水槽フィルタアセンブリのカバーに一体の凹部として形成されている、請求項１に記載の計時板アクチュエータ。
【請求項７】
第一及び第二の突起は半球の形状である、請求項１に記載の計時板アクチュエータ。
【請求項８】
ａ）  ｉ）コンパートメントを画定するホルダと、
ｉｉ）ホルダに対して開及び閉位置に配置可能なカバーと、
ｉｉｉ）コンパートメントの内部に位置する第一の突起、及びカバーの内側に位置する第二の突起と、
を含む計時板アクチュエータと、
ｂ）ホルダのコンパートメントの内部に位置し、それ自体の上に設けられたポケットの中に収容される時間指示物質を含む計時板と、を含み、
ｃ）第一及び第二の突起は、アクチュエータのカバーは開位置から閉位置に動くときに、計時板のポケットを破裂させることによって、計時板を作動させる計時板及びアクチュエータアセンブリ。
【請求項９】
計時板は、ユーザに計時板が動き始めてから経過した時間を知らせる時間指示物質を含む、請求項８に記載のアセンブリ。
【請求項１０】
カバーは窓を画定し、カバーが閉位置にあるとき、時間指示物質はカバーの窓を通じて目視可能である、請求項９に記載のアセンブリ。
【請求項１１】
カバーが閉位置にあるとき、第一の突起及び第二の突起は互いの方向に突出している、請求項８に記載のアセンブリ。
【請求項１２】
カバーが閉位置にあるとき、第一の突起及び第二の突起は互いに一列に並んでいる、請求項１１に記載のアセンブリ。
【請求項１３】
第一及び第二の突起は、それらの間で計時板のポケットを挟み、カバーが閉位置に向かって動くときに、計時板を作動させる、請求項１２に記載のアセンブリ。
【請求項１４】
カバーは蝶番接続でホルダに取り付けられている、請求項８に記載のアセンブリ。
【請求項１５】
カバーは第一の蝶番端及び第二の自由端を含み、カバーの第二の突起は、カバーの第二の自由端に隣接して位置している、請求項１４に記載のアセンブリ。
【請求項１６】
カバーは第一の蝶番端及び第二の自由端を含み、カバーの第二の突起は、カバーの第一の蝶番端に隣接して位置している、請求項１４に記載のアセンブリ。
【請求項１７】
ホルダはフィルタアセンブリ構成要素に一体の凹部として形成されている、請求項８に記載の計時板アクチュエータ。
【請求項１８】
ホルダは水槽フィルタアセンブリのカバーに一体の凹部として形成されている、請求項１７に記載の計時板アクチュエータ。
【請求項１９】
ａ）フィルタハウジングと、
ｂ）フィルタハウジングを取り囲み、凹部を画定するフィルタカバーと、
ｃ）フィルタカバーの凹部内に配置され、その上に設けられたポケットの中に収容される時間指示物質を含む計時板と、
ｄ）フィルタカバーに対して開及び閉位置に配置可能で、開位置では凹部へのアクセスを提供し、閉位置では凹部を取り囲む、アクチュエータカバーと、
ｅ）凹部及びアクチュエータカバーの一つに対して設けられている突起と、を含み、
ｆ）突起は、アクチュエータのカバーが開位置から閉位置に動くとき、計時板のポケットを破裂させることによって、計時板を作動させる水槽フィルタ装置。
【請求項２０】
突起はフィルタカバーの凹部内に位置する、請求項１９に記載の装置。
【請求項２１】
突起はアクチュエータカバーの内側に位置する、請求項１９に記載の装置。
【請求項２２】
さらに、凹部内に位置する突起を含み、アクチュエータカバーが閉位置にあるとき、凹部突起及びアクチュエータカバー突起は互いの方向に突出している、請求項２１に記載の装置。
【請求項２３】
凹部の突起及びアクチュエータカバーの突起は、アクチュエータカバーが閉位置にあるとき、互いに一列に並んでいる、請求項２２に記載の装置。
【請求項２４】
アクチュエータカバーは観察窓を画定し、アクチュエータカバーが閉位置にあるとき、計時板は観察窓を通して目視可能である、請求項１９に記載の装置。
【請求項２５】
アクチュエータカバーは、蝶番接続でフィルタカバーに取り付けられている、請求項１９に記載の装置。
【請求項２６】
カバーは第一の蝶番端及び第二の自由端を含み、カバーの第二の突起はカバーの第二の自由端に隣接して位置している、請求項２５に記載の装置。
【発明の詳細な説明】
【技術分野】
【０００１】
本開示は、全般的には、水槽工業で用いられるデバイス及びそのようなデバイスと関連する様々な方法に関する。特に、本開示は水槽濾過に関係する方法及びデバイスに関する。
【０００２】
水槽の中の生態学的均衡を維持するため、水槽水をきれいにする必要がある。クリーニングは、多くの場合、水槽水をフィルタハウジングに通過させて濾過ことによってなされる。フィルタハウジング内では、水はフィルタリングチャンバに入り、濾過材を通過し、その後水槽に戻される。通常の濾過作業を通じて、様々な微粒子が濾過材に捕捉されるようになり、水槽の所有者には定期的に濾過材の点検（例えば、保全及び／又は交換）が要求される。一般には、濾過材は、約四週間ごとの点検が要求される。
【０００３】
水槽の所有者に濾過材の点検を思い起こさせるような、本来的に生じる又は生じ得る様々な合図が存在する。ある合図は、例えば、水が濾過材から溢れていることが観察されることで、これは所有者に濾過材が詰まっていることを示している。別の合図は、水槽に付けられていることのある検測棹である。検測棹は、最後の若しくは来るべき点検日を示すカレンダーを含んでいることもあるし、又は詰まった濾過材によって引き起こされる高い水位を示す浮きを含んでいることもある。
【０００４】
全般的に言って、濾過材の点検が必要な時の合図を与える及び／又は決定するための方法及びデバイスに関して、水槽の所有者にとって使い勝手が良さ、及び簡便さが備わるように改良が重ねられてきた。
【発明の開示】
【課題を解決するための手段】
【０００５】
本開示は、メカニカルフォースを用いて計時板（タイムストリップ）を動かす計時板アクチュエータ（タイムストリップアクチュエータ）に関する。好適な製品特徴又は方法の様々な例を、一部は以下の記載で述べ、また一部は記載から明らかであろうし、又は開示の様々な側面を実施することによって知ることが出来るだろう。開示の側面は、個々の特徴と関連していることもあるし、複数の特徴の組み合わせに関連していることもあろう。先行する一般的な記載、及びそれに続く詳細な記載は、説明だけのものであり、クレームされた発明に限定されない。
【発明を実施するための最良の形態】
【０００６】
以下では、添付の図面に示した本開示の代表的な側面について詳細に言及を行う。可能な限り、一連の図面を通して、同一の参照符号を同一の又は類似の部品を参照するために用いる。
【０００７】
（第一実施形態）
図１−５は、開示の発明に従ったタイムストリップアクチュエータ（計時板アクチュエータ）１０のある実施形態を示したものである。計時板アクチュエータ１０は、全般的に、メインボディ部又はホルダ１２及びカバー１４を含んでいる。計時板（タイムストリップ）１６（図２）は、ホルダ１２の内部に配置可能である。計時板１６及び計時板アクチュエータ１０のアセンブリは、水槽の点検が必要であるときをユーザに示す簡便で使い勝手の良いデバイスを、水槽の所有者に提供する。例えば、アセンブリは、ユーザに、濾過材を最後に保守又は交換してから経過した時間間隔を示す。
【０００８】
ここで、図１及び２を参照すれば、計時板アクチュエータ１０のホルダ１２は第一の端壁２０、第二の端壁２２、側面壁２４、２６、及び底面壁２８を含んでいる。端壁、側面壁、及び底面壁は、計時板を受け止める大きさである内部又はコンパートメントを画定する。図示された実施形態では、ホルダ１２は、概ね計時板１６（図２）の形状構造に対応する長方形構造を有している。他のホルダ形状及び構成も、適性及び／又は美的観点から要求があれば、使用され得る。
【０００９】
計時板アクチュエータ１０のカバー１４は、蝶番接続３０でホルダ１２に取り付けられている。蝶番接続３０によって、ユーザはカバー１４を選択的に、ホルダ１２のコンパートメント１８にアクセスできる開位置、及び計時板１６をコンパートメント１８の内部に固定及び封入する閉位置（図４）に配置することができる。カバーは、蝶番端４２及び自由端４０を含んでいる。リップ又はタブ６０（図２）は、自由端４０に設けられ、ホルダ１２に対してカバー１４が開く、及び閉じるのを助けている。別の実施形態では、カバーは、ホルダとは別の構成要素であってもよい。
【００１０】
ここで、図２及び３を参照すると、計時板アクチュエータ１０は、計時板の構造に一致するように構成された、少なくとも一つの突起（例えば、盛り上がったパッド、又はバンプ）を含んでいる。以下でより詳細に記述するように、使用に際しては、その少なくとも一つの突起は、計時板を動かし、水槽の点検のためのタイミングサイクルを開始するために、ホルダ１２及びカバー１４の一つに設けられている。ユーザがアクチュエータ１０のカバー１４をホルダ１２に対して閉じると、計時板１６の動きが生じる。
【００１１】
図示されている実施形態では、アクチュエータ１０は、第一及び第二の突起３２、３４を含んでいる。第一の突起部３２は、ホルダの第一の端壁２０に隣接して位置しており、第二の突起部３４は、カバー１４の自由端４０に隣接して位置している。両方の突起３２、３４の間で発生するメカニカルフォースによって計時板の動きが生じているが、開示の発明に従って、アクチュエータ１０にはただ一つの突起が備えられ、計時板を動かすように配置され構成されてもよいことは理解できるだろう。第一及び第二の突起３２、３４は、さらに半球状突起として示されているが、計時板の動きを引き起こすこれに代わる他の形状で構成されている、又は他の形状が設けられていてもよい。
【００１２】
さらに図２及び３を参照すれば、アクチュエータ１０の第一の突起３２は、ホルダ１２のコンパートメント１８の内部に位置している。第二の突起３４は、カバー１４に保有されている又は備えられている。図示されている実施形態では、ホルダ突起３２は、ホルダ１２の底面壁２８上に一体に形成されている。カバー突起３４は、カバー１４の内部表面５４上に一体に形成されている。カバー１４が閉じているときには、図４及び５に示されているように、突起３２、３４は、互いに向き合うように突き出ている。特に、突起３２、３４は、互い一列に並び、小さなギャップＧはそれらの間に形成される。
【００１３】
図２及び３に戻ると、使用に際しては、計時板１６は、ホルダ１２のコンパートメント１８の内部に配置される。ある実施形態では、粘着性ストリップ４６が、計時板１６をホルダ１２の底面壁２８に固定するように備えられていてもよい。図示されている粘着性ストリップ４６は、引くことによってマスキング層５０を取り外し、粘着性ストリップ４６の粘着性物質を露出させる、タブ４８を含んでいる。
【００１４】
計時板１６は、概ね、時間指示盤３８と一緒になって計時板１６が動き出してからの時間経過をユーザに示す、時間指示物質３６を含んでいる。時間指示物質３６は、ポケット６２（例えば、ポーチ、バブル、又はカプセル）に収容されている。ある実施形態では、時間指示物質３６は、インクであって、ポケット６２から解放されたときに、計時板に沿って泳動する、動き始め（即ち、ポケットの破裂）からの時間の進行は、時間指示盤３８に沿ってのインクの泳動によって表わされる。
【００１５】
目下開示されているアクチュエータ１０は、カバー１４を閉じる過程で生じるメカニカルフォースを用いて、計時板１６を力学的に動かしている。特に、ユーザがカバー１４を閉じるとき、突起３２、３４は計時板１６のポケット６２を挟む又は締め付け、ポケット６２を破裂させ、時間指示物質３６を解放する。これは、ユーザに動き始めを思い出す、又は知っていたとしてもどのように（即ち、手動でポケットを切って）計時板１６を動かしたか、を思い出す必要をなくす。代わりに、単純にカバー１４を閉じることによって、ユーザは自動的に、時間指示物質を含んでいるポケット６２を破裂させ、水槽の点検のためのタイミングサイクルを開始する。
【００１６】
図２を参照すれば、カバー１４はさらに観察窓（ビューイングウィンドウ）４４を含んでいる。観察窓４４は、計時板１６上に設けられた時間指示盤３８の位置に対応する位置に、カバー１４に形成されている。観察窓４４は、ユーザに計時板１６への便利で視覚的なアクセスを提供するのみならず、計時板の動きが生じるように、計時板がコンパートメント１８の内部で正しく向けられていることの確認の助けもする。
【００１７】
特に、計時板１６を動かすためには、ポケット６２がホルダ１２の突起３２に隣接して、又はその上に配置されるように、板（ストリップ）は向けられている。カバー１４を閉じた後、正しく向けられた計時板の時間指示盤３８は、窓４４を通して目視することが可能である。もし、計時板１６がコンパートメント１８の内部で正しく向けられていないと、時間指示盤３８をユーザは目視することが出来ず、従ってユーザには、計時板の再方向付けをしなければいけないという指示がなされる。窓４４は、正しく方向付けられ、計時板が動いているかの確認の助けをする。加えて、動き始めた後では、窓４４はユーザに、カバー１４を開ける必要なく、時間指示盤３８によって示される経過時間を目視できるようにしている。
【００１８】
図３に戻って参照すれば、アクチュエータ１０はさらに、ユーザにとって便利な場所にアセンブリを固定する粘着性層５２を含み得る。粘着性層５２は、ホルダ１２の底面壁２８の外部表面５６上に設けられている。粘着性層５２によって、ユーザは計時板アクチュエータ１０を水槽フィルタ、水槽壁、又は他の構成要素若しくは構造に接着することが出来る。粘着性層５２は、ユーザに、ユーザ特有の水槽の組み立てを考慮して、計時板アクチュエータ１０が容易に目視及びアクセスが可能であるような便利な位置を選べるようにしている。
【００１９】
（第二実施形態）
図６−１１は、開示の発明に従った計時板アクチュエータ（タイムストリップアクチュエータ）１００の第二の実施形態を示したものである。以前の実施形態と同様、計時板アクチュエータ１００は、全般的にメインボディ部又はホルダ１１２及びカバー１１４を含んでいる。計時板（タイムストリップ）１６（図２）は、ホルダ１１２の内部に配置可能である。本第二実施形態では、計時板アクチュエータ１００は、水槽フィルタアセンブリ１７０の一体化された構成要素として形成されている。
【００２０】
図１を参照すれば、計時板アクチュエータ１００を含む水槽フィルタアセンブリ１７０は、概ねフィルタハウジング１７２、フィルタハウジングを取り囲むフィルタカバー１７４、及び（部分的に示した）濾過材１７６を含んでいる。濾過材１７６は、アクセスドア１８０を通じてフィルタハウジング内に配置が可能である。本開示の計時板アクチュエータ１００は、水槽フィルタアセンブリ１７０のフィルタカバー１７４の一体化された構成要素として形成されている。
【００２１】
特に、そして、ここで図７−９を参照すれば、アクチュエータ１００のホルダ１１２は、フィルタカバー１７４内の凹部１７８として形成されている。凹部１７８は、第一の端壁１２０、第二の端壁１２２、側面壁１２４、１２６、及び底面壁１２８を含んでいる。凹部１７８は、計時板１６を受け止める大きさである（図２）。図示された実施形態では、凹部１７８は、全般的に計時板１６（図２）の形状構造に対応する長方形構造を有している。他のホルダ形状及び構成も、適性及び／又は美的観点から要求があれば、使用され得る。
【００２２】
計時板アクチュエータ１００のカバー１１４は、蝶番接続１３０で凹部１７８を介してフィルタカバー１７４に取り付けられている。蝶番接続１３０は、ユーザにカバー１１４を選択的に、凹部１７８にアクセスできる開位置、及び計時板１６を凹部１７８の内部に固定及び封入する閉位置に配置することができる。カバー１１４は、蝶番端１４２及び自由端１４０を含んでいる。リップ又はタブ１６０（図７）は、自由端１４０に設けられ、フィルタカバー１７４に対してカバー１１４が開く及び閉じるのを助けている。別の実施形態では、カバーは、ホルダとは別の構成要素であってもよい。図９に示すように、カバー１１４は、さらに、カバーを開ける及び閉めるためにタブ１６０にアクセスが可能となるようにカバー１１４を配置するスタンドオフ１８２を含んでいる。
【００２３】
ここで、図８及び９を参照すると、計時板アクチュエータ１００は、計時板の構造に対応するように配置された、少なくとも一つの突起（例えば、盛り上がったパッド、又はバンプ）を含んでいる。計時板１６の動きは、ユーザがアクチュエータ１００のカバー１１４を、フィルタカバー１７４に対して閉じるときに生じる。
【００２４】
図示されている実施形態では、アクチュエータ１１０は、第一及び第二の突起１３２、１３４を含んでいる。第一の突起部１３２は、凹部１７８の第二の端壁１２２に隣接して凹部１７８内部に位置しており、第二の突起部１３４は、カバー１１４の蝶番端１４２に隣接するカバー１１４によって保有されている。図示されている実施形態では、凹状突起１３４は、凹部１７８の底面壁１２８上に一体に形成されており、カバー突起１３４は、カバー１１４の内部表面１５４上に一体に形成されている。両方の突起１３２、１３４の間で発生するメカニカルフォースによって計時板の動きが生じているが、開示の発明に従って、アクチュエータ１０にはただ一つの突起が備えられ、計時板を動かすように配置され構成されてもよいことは理解できるであろう。
【００２５】
使用に際しては、計時板１６は、フィルタカバー１７４の凹部１７８の内部に配置される。ある実施形態では、粘着性ストリップ１４６が、計時板１６を凹部１７８の底面壁１２８に固定するように備えられていてもよい。前述のように、計時板の時間指示物質は、時間指示盤３８と一緒になってユーザに計時板１６が動き出してからの時間経過を示す。
【００２６】
目下開示されているアクチュエータ１００は、カバー１１４を閉じる過程で生じるメカニカルフォースを用いて、計時板１６を力学的に動かしている。特に、ユーザがカバー１１４を閉じるとき、突起１３２、１３４は計時板１６のポケット６２を挟む又は締め付け（図２）、ポケット６２を破裂させ、時間指示物質３６を解放する。これは、ユーザに動き始めを思い出す、又は知っていたとしてもどのように（即ち、手動でポケットを切って）計時板１６を動かしたか、を思い出す必要をなくす。代わりに、単純にカバー１１４を閉じることによって、ユーザは自動的に、時間指示物質を含んでいるポケット６２を破裂させ、水槽の点検のためのタイミングサイクルを開始する。
【００２７】
以前の実施形態と同様に、カバー１１４はさらに観察窓（ビューイングウィンドウ）１４４を含んでいる。観察窓１４４は、計時板１６上に設けられた時間指示盤３８の位置に対応する位置に、カバー１１４に形成されている。観察窓１４４は、ユーザに計時板１６への便利で視覚的なアクセスを提供するのみならず、計時板の動きが生じるように、計時板が凹部１７８の内部で正しく向けられていることを確認することを助けもする。
【００２８】
全般的に、計時板アクチュエータの開示された実施形態は、ユーザが水槽フィルタアセンブリと一緒に、濾過材の点検が必要な時をユーザに合図するのを助けている。計時板アクチュエータは、図１−５に示したように、水槽フィルタアセンブリの別々の構成要素でもあり得るし、図６−１１に示したように、アセンブリに一体の構成要素でもあり得る。開示された発明に従えば、計時板アクチュエータは時間の経過区間の合図、又は指示が有益であるような他の応用に利用することも可能である。
【００２９】
上の明細書は、本発明の完全な記載を与えている。発明の精神及び意図から逸脱することなく発明の多くの実施形態が可能であるから、発明のある様態を添付の請求項によって付与する。
【図面の簡単な説明】
【００３０】
【図１】開示の発明に従う計時板アクチュエータのある実施形態の前面から見た斜視図である。
【図２】図１の計時板アクチュエータの側面から見た斜視図である。
【図３】図２の計時板アクチュエータの側面から見た立面図である。
【図４】閉位置で示した、図１の計時板アクチュエータの前面から見た斜視図である。
【図５】線５−５に沿った図４の計時板アクチュエータの断面の側面から見た立面図である。
【図６】開示の発明に従う、フィルタアセンブリのカバーの上に設けられた、計時板アクチュエータの正面から見た斜視図である。
【図７】分離して示した、図６のフィルタアセンブリのカバー及び計時板アクチュエータの正面から見た斜視図である。
【図８】図７のカバー及び計時板アクチュエータの正面から見た斜視図である。
【図９】図８のカバー及び計時板アクチュエータの背面から見た斜視図である。
【図１０】図７のカバー及び計時板アクチュエータの側面から見た立面図である。
【図１１】図１０のカバー及び計時板アクチュエータの底面から見た斜視図である。
【符号の説明】
【００３１】
１０、１００  計時板アクチュエータ
１２、１１２  メインボディ部（ホルダ）
１４、１１４  カバー
１６  計時板
１８  コンパートメント
２０、１２０  第一の端壁
２２、１２２  第二の端壁
２４、１２４  側面壁
２６、１２６  側面壁
２８、１２８  底面壁
３０、１３０  蝶番接続
３２、１３２  第一の突起
３４、１３４  第二の突起
３６  時間指示物質
３８  時間指示盤
４０、１４０  （カバーの）自由端
４２、１４２  （カバーの）蝶番端
４４、１４４  観察窓
４６、１４６  粘着性ストリップ
４８  タブ
５０  マスキング層
５２  粘着性層
５４、１５４  （カバーの）内部表面
５６  （ホルダの底面壁の）外部表面
６０、１６０  リップ（タブ）
６２  ポケット
１７０  水槽フィルタアセンブリ
１７２  フィルタハウジング
１７４  フィルタカバー
１７６  濾過材
１７８  凹部
１８０  アクセスドア
１８２スタンドオフ
【図１】
2009109480.tif 000003
【図２】
2009109480.tif 000004
【図３】
2009109480.tif 000005
【図４】
2009109480.tif 000006
【図５】
2009109480.tif 000007
【図６】
2009109480.tif 000008
【図７】
2009109480.tif 000009
【図８】
2009109480.tif 000010
【図９】
2009109480.tif 000011
【図１０】
2009109480.tif 000012
【図１１】
2009109480.tif 000013
【外国語明細書】
1. Title of Invention
2009109480.tif 000014
2. Detailed Description of Invention
2009109480.tif 000015
2009109480.tif 000016
2009109480.tif 000017
2009109480.tif 000018
2009109480.tif 000019
2009109480.tif 000020
2009109480.tif 000021
2009109480.tif 000022
3. Brief Description of Drawings
2009109480.tif 000023
1.Claims
2009109480.tif 000024
2009109480.tif 000025
2009109480.tif 000026
2009109480.tif 000027
1. Abstract
2009109480.tif 000028
2. Representative Drawing
None
2009109480.tif 000029
2009109480.tif 000030
2009109480.tif 000031
2009109480.tif 000032
2009109480.tif 000033
2009109480.tif 000034
2009109480.tif 000035
2009109480.tif 000036
2009109480.tif 000037
2009109480.tif 000038
2009109480.tif 000039